(57)【要約】      （修正有）【課題】正式警報の前に事前警報を出力し、不用意な警報を防止することが可能な、車両制御装置を提供する。【解決手段】生体センサ（３２）と、出力装置（９）と、生体センサ（３２）により生体情報が検出された生体の危険度を判定する危険度判定部（５１ａ）と、危険度判定部（５１ａ）が判定した危険度に応じて、正式警報の前に出力装置（９）に出力させる事前警報を判定する警報出力判定部（５１ｃ）とを備える。【選択図】図１
2020149486.tif 000002
【特許請求の範囲】
【請求項１】
車内に存在する生体の生体情報を検出する生体センサと、
警報を出力する出力装置と、
前記生体センサにより生体情報が検出された生体の危険度を判定する危険度判定部と、
前記危険度判定部が判定した危険度に応じて、正式警報の前に前記出力装置に出力させる事前警報を判定する警報出力判定部と、
を備えることを特徴とする車両制御装置。
【請求項２】
前記事前警報は、
車両内に向けて出力される第１事前警報と、
車外に向けて出力される第２事前警報と、
車両ユーザの携帯端末に向けて出力される第３事前警報と、
を含み、
前記警報出力判定部は、前記第１事前警報、前記第２事前警報、前記第３事前警報のうち、何れか、又は、複数の組み合わせを前記事前警報として前記出力装置に出力させる、
ことを特徴とする請求項１に記載の車両制御装置。
【請求項３】
前記事前警報の出力態様は、前記危険度の上昇に伴って段階的に変化する、
ことを特徴とする請求項１または２に記載の車両制御装置。
【請求項４】
前記危険度判定部は、
ドライバーの降車意思及び／又は降車動作が検出され、且つ、車両内に生体が存在することが検出されると、前記車両内に存在する生体の危険度の判定を開始する、
ことを特徴とする請求項１から３の何れか一項に記載の車両制御装置。
【請求項５】
前記出力装置は、前記事前警報が出力された後、前記車両のドアが開かれると前記事前警報の出力を停止する、
ことを特徴とする請求項１から４の何れか一項に記載の車両制御装置。
【請求項６】
前記出力装置は、前記事前警報の出力開始時点から予め定められた時間が経過すると、前記事前警報の出力を停止する、
ことを特徴とする請求項１から５の何れか一項に記載の車両制御装置。
【請求項７】
車窓の開閉を制御する窓制御装置及び／又は車両の空調を制御する空調制御装置へ指示信号を送信する通信制御部を備え、
前記通信制御部は、前記出力装置により、前記事前警報が出力された後、車両ユーザの携帯端末からの指示を受信すると、前記携帯端末からの指示に基づき、前記窓制御装置に対し車窓の開閉制御を指示すると共に、前記空調制御装置に対し車両の空調制御を指示することを特徴とする請求項１から６の何れか一項に記載の車両制御装置。
【請求項８】
前記正式警報が出力された後、車両のドアが開かれた場合、
前記出力装置は、前記正式警報の出力を停止し、
前記正式警報が出力された後、車両のドアが開かれない場合、
前記車両は、前記生体の救助を可能とする救助可能状態へ移行する、
ことを特徴とする請求項１から７の何れか一項に記載の車両制御装置。
【請求項９】
前記正式警報が出力された後、車両のドアが開かれた場合、
前記出力装置は、前記正式警報の出力を停止し、
前記正式警報が出力された後、車両のドアが開かれない場合、
前記正式警報の出力開始時点から予め定められた時間が経過すると、前記車両は、前記生体の救助を可能とする救助可能状態へ移行する、
ことを特徴とする請求項１から８の何れか一項に記載の車両制御装置。
【発明の詳細な説明】
【技術分野】
【０００１】
本発明は車両制御装置に関する。
【背景技術】
【０００２】
従来から、車両内に子供が置き去りにされた場合を想定した、置き去り警報装置に係る発明が種々提案されている。
【０００３】
例えば、特許文献１に記載の子供置き去り警報装置では、子供用シートが車両に取り付けられ、且つ、子供用シートベルトが装着状態にあることを条件として警報を実施している。
【０００４】
また、特許文献１の子供置き去り警報装置は、車両の状況から子供の置き去りの可能性の高低を判断し、且つ、その可能性の高低に応じて第一警報手段または第二警報手段を実施するものである。
【先行技術文献】
【特許文献】
【０００５】
【特許文献１】特開２０１２−１８８０３５号公報
【発明の概要】
【発明が解決しようとする課題】
【０００６】
しかしながら、特許文献１の子供置き去り警報装置は、子供の置き去りの可能性の高低に応じて警報手段を選択し、実施するものである。このため、特許文献１の子供置き去り警報装置には、置き去り状態になることを運転手が認識している状況（例えば、短時間の用事で車を離れる場合など）、換言すれば、置き去り警報を出力する必要性が低い状況であっても、所定の警報条件を満たす場合は警報が出力されるという問題がある。
【０００７】
本発明の一態様は、前記の問題点に鑑みてなされたものであり、その目的は正式警報の前に事前警報を出力し、不用意な正式警報を防止することにある。
【課題を解決するための手段】
【０００８】
上記の課題を解決するために、本発明の一態様に係る車両制御装置は、車内に存在する生体の生体情報を検出する生体センサと、警報を出力する出力装置と、前記生体センサにより生体情報が検出された生体の危険度を判定する危険度判定部と、前記危険度判定部が判定した危険度に応じて、正式警報の前に前記出力装置に出力させる事前警報を判定する警報出力判定部と、を備えている。
【発明の効果】
【０００９】
本発明の一態様によれば、正式警報の前に事前警報を出力し、不用意な警報を防止することができる。
【図面の簡単な説明】
【００１０】
【図１】本発明の一実施形態に係る車両の機能的構成を示すブロック図である。
【図２】本発明の一実施形態に係る事前警報の一例を示すフローチャートである。
【図３】本発明の一実施形態に係る事前警報の一例を示すフローチャートである。
【図４】本発明の一実施形態に係る事前警報の一例を示すフローチャートである。
【図５】本発明の一実施形態に係る正式警報の一例を示すフローチャートである。
【図６】本発明の一実施形態に係る事前警報の一例を示すフローチャートである。
【図７】本発明の一実施形態に係る事前警報の一例を示すフローチャートである。
【図８】本発明の一実施形態に係る事前警報の一例を示すフローチャートである。
【発明を実施するための形態】
【００１１】
以下、本発明の一実施形態について、詳細に説明する。なお、説明の便宜上、先に説明した部材と同一の機能を有する部材については、同一の符号を付記し、その説明を省略する場合がある。
【００１２】
〔実施形態１〕
以下、本発明の一実施形態に係る車両１００の機能的構成について説明する。
【００１３】
（車載制御装置の制御対象）
図１に示すように、車載制御装置１は、電源装置３、スタートスイッチ４、ドアロック装置５、ドア開閉装置６、車速センサ７、変速機８、出力装置９、キャンセルスイッチ１０、エアコン制御装置１１（空調制御装置）および窓制御装置１２とそれぞれ接続している。
【００１４】
電源装置３は、バッテリなどから構成されている。電源装置３は、バッテリの電力を車両１００の各部へ供給する。
【００１５】
スタートスイッチ４は、車両１００の車室内に設置されている。スタートスイッチ４は、車両１００の走行駆動源を駆動・停止したり、電源をオン・オフしたりするためにユーザにより操作される。また、スタートスイッチ４の操作によりオン・オフされる電源としては、ＩＧ（イグニション）とＡＣＣ（アクセサリ）がある。
【００１６】
ドアロック装置５は、車両１００の各ドアの施解錠を行うための機構と、該機構の駆動回路とから成る。
【００１７】
ドア開閉装置６は、車両１００のパワースライドドア（以下、ＰＳＤという。）を開閉動作させるための機構と、該機構の駆動回路とから成る。
【００１８】
車速センサ７は、車両１００の走行速度を検知する。車速センサ７は、検知結果を車載制御装置１の制御部へ送る。
【００１９】
変速機８は、車両１００のエンジンの回転を走行条件に応じて最適に切り替える装置である。後述する車載制御装置１の制御部は、変速機８のシフトポジションをセンサ（図示省略）により検出する。
【００２０】
出力装置９は警報の出力を行う。車内向けの警報を出力する出力装置９としては、車内のブザー９ｂ、ルームランプ（図示省略）、カーナビゲーションシステムのスピーカ（図示省略）が挙げられる。
【００２１】
車外向けの警報を出力する出力装置９としては、携帯機ブザー（図示省略）、ウォーニングランプ（図示省略）、ウィンカー（図示省略）、ウエルカムランプ９ｅが挙げられる。出力装置９は、車載制御装置１と接続されており、制御部２１により警報の出力を制御されている。なお、ホーン９ａ、ブザー９ｂ、ヘッドランプ９ｃ、ハザードランプ９ｄ、ウエルカムランプ９ｅ等は一例であり、警報の出力を行うことができれば、他の車載機器を利用してもよい。
【００２２】
キャンセルスイッチ１０は、出力装置９に警報の出力を停止するためのスイッチである。キャンセルスイッチ１０が車両１００のユーザにより操作されると、キャンセルスイッチ１０はキャンセル信号を出力する。キャンセル信号は車載制御装置１の制御部を介して出力装置９へ送られ、キャンセル信号に基づき、出力装置９は警報の出力を停止する。
【００２３】
なお、キャンセルスイッチ１０は、例えば車内に備えていても良いし、スマートキー等のユーザが携帯する携帯機に備わっていても良い。また、ユーザのスマートフォン６１等の携帯端末からの通信によってキャンセルする構成としても良い。
【００２４】
エアコン制御装置１１は、車内の空調を制御する。窓制御装置１２は、車両１００が備える窓の開閉を制御する。窓制御装置１２は、図示しないモータを駆動することにより、開閉機構を動作させる。開閉機構の動作に伴って、車両１００の窓の開閉位置を変化させるものである。
【００２５】
（車載制御装置の概略構成）
車載制御装置１は、制御部２１および通信部から構成されている。
【００２６】
制御部２１は、ＣＰＵとメモリなどから構成されている。
【００２７】
通信部は、車両警報制御装置３１の通信部と例えば、ＣＡＮ（Car Area Network）により通信を行う。
【００２８】
（車両警報制御装置の制御対象）
図１に示すように、車両警報制御装置３１は、生体センサ３２、温度センサ３３、およびＣＯセンサ３４とそれぞれ接続している。
【００２９】
生体センサ３２は、車内に存在する乳幼児の生体信号を検出するセンサである。生体センサ３２は、非接触のセンサであり、乳幼児の体の表面の動きから脈、呼吸、あるいは心拍などの生体情報を検出する。なお、生体センサ３２の検出対象は、乳幼児としているが、他の生体、例えば、小学生あるいは要介護者などであってもよい。
【００３０】
温度センサ３３は、車内の気温を検知するセンサである。本実施形態における温度センサ３３は、車内の気温を検知するものであるが、車内の気温及び湿度を検出する温湿度センサであってもよい。その場合、湿度を検知するためのセンサを更に備える構成とする。
【００３１】
ＣＯセンサ３４は、車内の一酸化炭素濃度を検知するセンサである。
ＣＯセンサ３４としては、半導体式、熱線半導体式、固体電解質式、定電位電解式など種々の方式があるが、車内の一酸化炭素濃度を検出することが可能であれば、いずれの方式を採用してもよい。ＣＯセンサ３４は、車内の一酸化炭素濃度が既定値以上の濃度となったかどうかを検知する。
【００３２】
（車両警報制御装置の概略構成）
車両警報制御装置３１は、通信部４１、車両ドア情報入力部４２、車速情報入力部４３、タイマ４４、通信制御部４５、記憶部４６、および制御部５１から構成されている。
【００３３】
なお、車載制御装置１および車両警報制御装置３１は、本発明の「車両制御装置」の一例である。なお、車載制御装置１および車両警報制御装置３１は、本実施形態のように別体であってもよいし、両装置が一体化されて本発明の車両制御装置が構成されていてもよい。
【００３４】
通信部４１は、通信部２２と、例えば、ＣＡＮ（Car Area Network）により通信を行う。
【００３５】
車両ドア情報入力部４２は、車両警報制御装置３１の制御部へ車両ドアの開閉状態を示す信号（開閉状態信号）を送る。開閉状態信号は、制御部２１が図示しないドア開閉検知部より受け取る信号（車両ドア開閉信号）に基づき、車両ドア情報入力部４２により出力される。車両ドア開閉信号は、制御部２１から通信部２２を介して通信部４１へ送られ、車両ドア情報入力部４２は、車両ドア開閉信号を通信部４１から受け取る。
【００３６】
車速情報入力部４３は、車両警報制御装置３１の制御部へ車速を示す信号を送る。車速を示す信号（車速信号）は、車速センサ７より制御部２１が受け取る車速の検知結果に基づき、車速情報入力部４３により出力される。車速信号は、制御部２１から通信部２２を介して通信部４１へ送られ、車速情報入力部４３は、車速信号を通信部４１から受け取る。
【００３７】
タイマ４４は、車両警報制御装置３１の内部時計である。タイマ４４は、出力装置９により出力される警報の出力時間をカウントする。また、タイマ４４は、後述の警報出力判定部５１ｃからのカウント開始の信号を受けると、警報停止のための設定時刻をカウントする。
【００３８】
通信制御部４５は、送受信部４５ａおよびアンテナ４５ｃから成る。通信制御部４５は、車両１００のユーザのスマートフォン６１と無線通信を行う。無線通信とは、例えば、Ｂｌｕｅｔｏｏｔｈ（登録商標）によって行われるが、Ｗｉ‐Ｆｉ（登録商標）等の無線通信によって行われても良い。
記憶部４６は各種の情報を記憶する。記憶部４６には、主に乳幼児の一般的なバイタルサインの数値、車内の正常な範囲と言える温度、人体に危険が及ばない範囲のＣＯ（一酸化炭素）濃度（以下、「判定基準値」という。）が記憶されている。また、判定基準値は一つである必要はなく、季節、年齢、性別、等の様々な情報に基づき複数の判定基準値が記憶されていてもよい。
【００３９】
制御部５１は、ＣＰＵとメモリなどから構成されている。制御部５１は、危険度判定部５１ａ、警報レベル設定部５１ｂ、警報出力判定部５１ｃを制御する。
【００４０】
危険度判定部５１ａは、車内に存在する生体が危険な状態であるか否かを判定する。具体的には、危険度判定部５１ａは、生体センサ３２、温度センサ３３およびＣＯセンサ３４の各センサから取得した情報、制御部２１が車両１００から取得した施解錠の情報、およびタイマ４４から取得した情報に基づき、車内に存在する生体が危険な状態であるか否かを判定する。
【００４１】
危険度判定部５１ａは、記憶部４６から判定基準値を取得して、当該判定基準値と、生体センサ３２によって検出されたバイタルサイン、温度センサ３３によって検知された温度、およびＣＯセンサ３４によって検知されたＣＯ濃度とを対比することで危険度を判定する。
【００４２】
また、危険度判定部５１ａは、車内に存在する乳幼児から検出するバイタルサインが判定基準値に比べてどの程度変動したかを示す「変動値」に基づき、危険度の判定を行ってもよい。当該変動値に基づき、危険度判定部５１ａによる危険度の判定を行う場合、車内に存在する乳幼児のバイタルサインの初期値としては、例えば、当該乳幼児が車両１００に乗車する際に検出した検出結果を用いてもよい。この場合、この初期値を記憶部４６へ記憶させる構成とする。
【００４３】
車内に存在する乳幼児のバイタルサインは、当該乳幼児が車両１００に乗車した時から常時取得するものであってもよいし、間欠的に取得するものであってもよい。また、本実施形態では、乗車時から取得する例を挙げているが、判定基準値からの変動値が算出できれば、どのタイミングで乳幼児のバイタルサインを検出してもよい。
【００４４】
警報レベル設定部５１ｂは、危険度判定部５１ａの判定結果に基づいて、警報レベルの設定を行う。警報レベルは、危険度の高低に基づきレベル分けされており、各警報レベルに応じた出力態様を有する、第１事前警報、第２事前警報、第３事前警報、および正式警報が用意されている。
【００４５】
（第１事前警報）
第１事前警報は、車内向けの警報であり、車内にいる車両１００のユーザ（ドライバー）に対して不快感を与えない程度、かつユーザに気付いてもらえる程度の警報である。第１事前警報は、第２事前警報、第３事前警報、正式警報に比べ、車内に存在する乳幼児の危険度が低い警報である。第１事前警報は、例えば、車内ブザー、ルームランプの点滅、カーナビゲーションシステムの音声あるいは画面表示、計器パネルのウォーニングランプの点灯などによりユーザに対する警報を出力する。第１事前警報の警報回数は１回であり、警報実行後は、予め設定した時間を経過後に停止する。
【００４６】
（第２事前警報）
第２事前警報は、車外向けの警報であり、車外にいる車両１００のユーザ（ドライバー）および車両１００の周辺にいる、ユーザ以外の第三者に対して不快感を与えない程度、かつ車外にいる車両１００のユーザ（ドライバー）に気付いてもらえる程度の警報である。第２事前警報は、第１事前警報よりは車内に存在する乳幼児の危険度が高く、第３事前警報、正式警報に比べ、車内に存在する乳幼児の危険度は低い場合の警報である。第２事前警報は、例えば、ユーザの携帯機ブザー、ウエルカムランプ９ｅの点滅などによりユーザに対する警報を出力する。第２事前警報の警報回数は１回であり、警報実行後は、予め設定した時間を経過後に停止する。
【００４７】
（第３事前警報）
第３事前警報は、車両１００のユーザ（ドライバー）が所持するスマートフォン６１（携帯端末）への通知である。第３事前警報は、第１事前警、第２事前警報よりは車内に存在する乳幼児の危険度が高く、正式警報に比べ、車内に存在する乳幼児の危険度は低い場合の警報である。第３事前警報は、例えば、スマートフォン６１のバイブレーション機能、発話機能、着信音機能、ショートメッセージ機能、あるいはＥメール機能、などを利用する警報である。
【００４８】
なお、スマートフォン６１への警報の出力手段は上記の機能に限定されるものではなく、例えば、スマートフォン６１が有する他の機能あるいは、車両１００のユーザ（ドライバー）がダウンロードするアプリケーションを利用する構成としてもよい。
【００４９】
（正式警報）
正式警報は、車外向けの警報であり、車両１００の外にいる車両１００のユーザ（ドライバー）および車両１００周辺にいる、ユーザ以外の第三者が良く気付く程度の警報である。良く気付く程度とは、例えば、一般的に知られている車両１００のセキュリティアラームに用いられる音量や光量である。正式警報は、第１事前警報、第２事前警報、及び第３事前警報に比べ、車内に存在する乳幼児の危険度が高い場合の警報である。正式警報は、車両のホーン９ａ、セキュリティサイレン、ハザードランプ９ｄの点滅、ウインカーランプの点滅、あるいはテールランプの点滅などである。
【００５０】
正式警報実行後は、キャンセルスイッチ１０が操作されるか、予め設定した時間を経過するまでは警報を出力し続ける。
【００５１】
再び、図１に戻り、車両警報制御装置の概略構成に関し、説明する。
【００５２】
警報出力判定部５１ｃは、警報レベル設定部５１ｂにより設定された警報レベルに応じた警報、すなわち、第１事前警報、第２事前警報、第３事前警報、あるいは正式警報の何れを判定する。
【００５３】
具体的には、警報レベル設定部５１ｂにより設定された警報レベルに応じた警報が第１事前警報、第２事前警報、あるいは正式警報である場合は、出力装置９に出力させる警報であると判定し、出力装置９にそれぞれの警報レベルに応じた警報を出力させる。また、警報出力判定部５１ｃは、警報レベル設定部５１ｂにより設定された警報レベルに応じたが第３事前警報である場合は、警報出力判定部５１ｃは、車両１００のユーザが所有するスマートフォン６１への警報を出力するよう、通信制御部４５へ指示信号を出力する。
スマートフォン６１は、パーソナルコンピュータ・ＰＤＡ（Personal Digital Assistant：携帯情報端末）等の機能を併せ持った多機能の携帯電話機である。スマートフォン６１は、アンテナ６１ａを備え、アンテナ６１ａを介して通信制御部４５との無線通信を行う。本実施形態においては、スマートフォン６１を一例として挙げているが、スマートフォン６１に限らず、タブレット端末または腕時計型のウェアラブル端末であってもよい。つまり、通信制御部４５と無線通信が可能な、機能を有する携帯端末装置であればよい。無線通信とは、例えば、Ｂｌｕｅｔｏｏｔｈ（登録商標）によって行われるが、Ｗｉ‐Ｆｉ（登録商標）等の無線通信によって行われても良い。
【００５４】
（車内への乳幼児の置き去り判定）
本実施形態における、車内への乳幼児の置き去りは、降車意思の検知結果、降車動作の検知結果、車内に乳幼児が存在するか否かの検出結果に基づき、制御部５１が判定する。また、制御部５１は、判定の際、降車意思の検知結果、降車動作の検知結果、車内に乳幼児が存在するか否かの検出結果を組み合わせることで判定する。
【００５５】
〔降車意思〕
ここで、降車意思の存在は、例えば、ＩＧが「ＯＮ」から「ＯＦＦ」へ切り替わることから検知することができる。具体的には、制御部２１がスタートスイッチ４からＩＧのＯＦＦ信号を受け取ると、制御部２１は、通信部２２を介して、ＩＧのＯＦＦ信号を通信部４１へ送る。通信部４１は、ＩＧのＯＦＦ信号を受け取ると、制御部５１へＩＧのＯＦＦ信号を送り、制御部５１は、ＩＧのＯＦＦ信号を受け取ると、車両１００のユーザの降車意思が存在すると判定する。
【００５６】
また、降車意思は、例えば、車速が「ゼロ」になることから検知することができる。具体的には、制御部２１が車速センサ７から、車速がゼロであることを示す車速ゼロ信号を受け取ると、制御部２１は、通信部２２を介して、車速ゼロ信号を通信部４１へ送る。通信部４１は、車速ゼロ信号を受け取ると、車速情報入力部４３へ車速ゼロ信号を送り、車速情報入力部４３は車速ゼロ信号に基づき、車速信号を出力し、制御部５１へ送る。制御部５１は車速信号を受け取ると、車両１００の車速がゼロであると判定する。当該判定結果に基づき、制御部５１は、車両１００のユーザの降車意思が存在すると判定する。
【００５７】
また、降車意思の存在は、例えば、シフトポジションがパーキング以外からパーキングとなることである。具体的には、制御部２１が変速機８（シフトレバー）からパーキングへのシフトチェンジを検知する信号（パーキング信号）を受け取ると、制御部２１は、通信部２２を介して、パーキング信号を通信部４１へ送る。通信部４１は、パーキング信号を受け取ると、制御部５１へパーキング信号を送り、制御部５１はパーキング信号を受け取ると、車両１００のユーザの降車意思が存在すると判定する。
【００５８】
なお、上記の降車意思は何れか一つ、あるいはその組合せにより、車両１００のユーザの降車意思の有無を判定しても良い。
【００５９】
〔降車動作〕
ここで、降車動作は、ユーザがドアを「閉」状態から「開」状態とする動作である。
【００６０】
具体的には、制御部２１が図示しないドア開閉検知部よりドア開閉の信号（ドア開閉信号）を受け取ると、制御部２１は、通信部２２を介して、ドア開閉信号を通信部４１へ送る。通信部４１は、ドア開閉信号を受け取ると、車両ドア情報入力部４２へドア開閉信号を送り、車両ドア情報入力部４２はドア開閉信号に基づき、開閉状態信号を制御部５１へ出力する。制御部５１は、開閉状態信号がドア「開」の信号である場合、車両１００のユーザの降車動作が存在すると判定する。
【００６１】
〔生体検出〕
車内に乳幼児が存在するか否かは、生体センサ３２から取得した検出結果に基づいて、制御部５１により判定する。具体的には、生体センサ３２による車内のセンシングにより、車内に生体が存在するか否かを検出し、検出された生体が乳幼児であるか否かは、乳幼児の一般的な生体情報と生体センサ３２によって検出された生体情報とを対比することにより、検出された生体が乳幼児であるか否かを判定する。
【００６２】
ここで、乳幼児の一般的な生体情報は、記憶部４６に記憶されている。制御部５１は、判定の際、記憶部４６から前記の一般的な生体情報を取得して、生体センサ３２によって検出された生体情報と対比する。
【００６３】
生体センサ３２が車内の生体情報を検出しなかった場合、あるいは、生体センサ３２によって検出された生体情報と乳幼児の一般的な生体情報とを対比した結果、生体センサ３２によって検出された生体情報が乳幼児の一般的な生体情報と一致しない場合、制御部５１は、生体センサ３２によって検出された生体情報と乳幼児の一般的な生体情報との対比結果に基づき、車内に乳幼児が存在するか否かを判定する。また、制御部５１は、生体センサ３２によって生体情報が検出されなかった場合、車内に乳幼児が存在しないと判定する。
【００６４】
なお、本実施形態においては乳幼児を判定する構成について説明しているが、判定対象は乳幼児に限定されるものではなく、少なくとも自らの意思で危機を回避できない生体を含む。
【００６５】
続いて、本実施形態における第１事前警報、第２事前警報、第３事前警報、正式警報について、図２から図５のフローチャートを参照しつつ説明する。
【００６６】
[第１事前警報]
第１事前警報は、車内に向けて警告を出力するものである。
【００６７】
まず、制御部５１は、車両１００のユーザ（ドライバー）の降車意思の有無を判定する（Ｓ１）。制御部５１は、ドライバーの降車意思「なし」と判定すると（Ｓ１でＮＯ）、再び、ドライバーの降車意思の有無を判定する（Ｓ１）。一方、制御部５１は、ドライバーの降車意思「あり」と判定すると（Ｓ１でＹＥＳ）、車内に乳幼児が存在するか否かの判定を行う（Ｓ２）。
【００６８】
制御部５１は、車内に乳幼児が存在しないと判定すると、車両警報制御装置３１の動作を停止する（Ｓ２でＮＯ）。一方、制御部５１は、車内に乳幼児が存在すると判定すると（Ｓ２でＹＥＳ）、制御部５１は、車内に存在する乳幼児が置き去りにされていると判定し、車内に存在する乳幼児が危険な状態であるか否かを、危険度判定部５１ａに判定させる（Ｓ３）。
【００６９】
危険度判定部５１ａは、車内に存在する乳幼児が危険な状態ではないと判定すると（Ｓ３でＮＯ）、制御部５１は、再び、車内に乳幼児が存在するか否かの判定を行う（Ｓ２）。一方、危険度判定部５１ａは、車内に存在する乳幼児が危険な状態にあると判定すると（Ｓ３でＹＥＳ）、該判定結果を警報レベル設定部５１ｂへ送り、該判定結果を受けた警報レベル設定部５１ｂは、該判定結果に基づき、警報レベルを「第１事前警報」に設定し、警報出力判定部５１ｃへ設定信号を送る。
【００７０】
警報レベル設定部５１ｂより、設定信号を受けた警報出力判定部５１ｃは、「第１事前警報」の出力指示を、通信部４１を介して通信部２２へ送り、出力指示を受けた通信部２２は制御部２１へ出力指示を送り、出力指示を受けた制御部２１は、出力装置９へ警報を出力させる（Ｓ４）。
【００７１】
出力装置９は、第１事前警報を出力すると、所定の設定時間経過後に第１事前警報を停止し（Ｓ５）、第２事前警報へ移行する。
【００７２】
なお、ドライバーの降車意思の有無の判定（Ｓ１）と、車内に乳幼児が存在するか否かの判定（Ｓ２）とは、同時に行われても良いし、順序を前後入れ替えても良い。
【００７３】
[第２事前警報]
続いて、本実施形態における第２事前警報について、図３のフローチャートを参照しつつ説明する。
【００７４】
第２事前警報は、第１事前警報とは異なり、ドライバーの降車意思に加えて、ドライバーの降車動作の検出も行う（Ｓ１１）。
【００７５】
制御部５１は、ドライバーの降車意思の有無の判定を行う。更に、制御部５１は、ドライバーの降車動作の有無の判定を行う（Ｓ１１）。制御部５１は、ドライバーの降車意思と降車動作とが、何れも「なし」と判定すると（Ｓ１１でＮＯ）、再びドライバーの降車意思および降車動作の有無の判定を行う（Ｓ１１）。また、制御部５１は、ドライバーの降車意思又は降車動作の何れか一方のみしか「あり」と判定できなかった場合も、（Ｓ１１でＮＯ）、再びドライバーの降車意思および降車動作の有無の判定を行う（Ｓ１１）。
【００７６】
一方、制御部５１は、ドライバーの降車意思「あり」と判定し、且つドライバーの降車動作「あり」と判定すると（Ｓ１１でＹＥＳ）、車内に乳幼児が存在するか否かの判定を行う（Ｓ１２）。
【００７７】
制御部５１は、車内に乳幼児が存在しないと判定すると、車両警報制御装置３１の動作を停止する（Ｓ１２でＮＯ）。一方、制御部５１は、車内に乳幼児が存在すると判定すると（Ｓ１２でＹＥＳ）、制御部５１は、車内に存在する乳幼児が置き去りにされていると判定し、車内に存在する乳幼児が危険な状態であるか否かを、危険度判定部５１ａに判定させる（Ｓ１３）。
【００７８】
危険度判定部５１ａは、車内に存在する乳幼児が危険な状態ではないと判定すると（Ｓ１３でＮＯ）、該判定結果を制御部５１へ送り、制御部５１は該判定結果を受け取ると、再び、車内に乳幼児が存在するか否かの判定を行う（Ｓ１２）。一方、危険度判定部５１ａは、車内に存在する乳幼児が危険な状態にあると判定すると（Ｓ１３でＹＥＳ）、該判定結果を警報レベル設定部５１ｂへ送り、該判定結果を受けた警報レベル設定部５１ｂは、該判定結果に基づき、警報レベルを「第２事前警報」に設定し、警報出力判定部５１ｃへ設定信号を送る。
【００７９】
警報レベル設定部５１ｂより、設定信号を受けた警報出力判定部５１ｃは、「第２事前警報」の出力指示を、通信部４１及び通信部２２を介して、制御部２１へ送る。当該出力指示を受けた制御部２１は、出力装置９へ警報を出力させる（Ｓ１４）。
【００８０】
出力装置９は、第２事前警報を出力すると、所定の設定時間経過後に第２事前警報を停止し（Ｓ１５）、第３事前警報へ移行する。
【００８１】
なお、ドライバーの降車意思の有無の判定、ドライバーの降車動作の有無の判定（Ｓ１１）および、車内に乳幼児が存在するか否かの判定（Ｓ１２）は、同時に行われても良いし、順序を前後入れ替えても良い。
【００８２】
[第３事前警報]
第３事前警報におけるフローチャートは図４に示すとおりであるが、Ｓ２１〜Ｓ２３は図３におけるＳ１１〜１３に対応するため、ここでは説明を省略する。
【００８３】
警報レベル設定部５１ｂにより、「第３事前警報」の設定信号を受けた警報出力判定部５１ｃは、「第３事前警報」の出力指示を、通信部制御部へ送る。通信制御部４５は、「第３事前警報」の出力指示を受け取ると、送受信部４５ａからアンテナ４５ｃを介してスマートフォン６１へ「第３事前警報」を通知する（Ｓ２４）。スマートフォン６１への「第３事前警報」の通知後、正式警報へ移行する。
【００８４】
なお、第１事前警報と第２事前警報とには、それぞれ、事前警報の出力を行った後、事前警報を停止するステップ（図２のＳ５、図３のＳ１５）があるが、第３事前警報は、警報を出力した後に該警報を停止するステップは含まれていない点が第１事前警報および第２事前警報とは異なる。
【００８５】
[正式警報]
続いて、本実施形態における正式警報について、図５のフローチャートを参照しつつ説明する。ここで、図５におけるＳ３１〜Ｓ３３のステップは、図３のＳ１１〜Ｓ１３とそれぞれ対応し、また、図５におけるＳ３１〜Ｓ３３は図４のＳ２１〜Ｓ２３とそれぞれ対応するステップであるため説明を省略する。
【００８６】
警報レベル設定部５１ｂにより、「正式警報」の設定信号を受けた警報出力判定部５１ｃは、「正式警報」の出力指示を、通信部４１及び通信部２２を介して制御部２１へ送る。当該出力指示を受けた制御部２１は、出力装置９へ警報を出力させる（Ｓ３４）。制御部５１は、正式警報の出力後に救助動作の有無を判定する（Ｓ３５）。
【００８７】
ここで、救助動作とは、ドライバーがキャンセルスイッチ１０を操作すること、又は車両１００のドアが「閉」状態から「開」状態となることである。ドアが「閉」状態から「開」状態となることとは、具体的には、制御部２１がドア開閉信号を受け取ると、制御部２１は、通信部２２を介して、ドア開閉信号を通信部４１へ送る。通信部４１は、ドア開閉信号を受け取ると、車両ドア情報入力部４２へドア開閉信号を送り、車両ドア情報入力部４２はドア開閉信号に基づき、開閉状態信号を制御部５１へ出力する。制御部５１は、開閉状態信号がドア「開」の信号である場合、救助動作ありと判定する。
【００８８】
制御部５１は、正式警報の出力後に、キャンセルスイッチ１０からのキャンセル信号を受け取り救助動作ありと判定した場合、又は、制御部５１はドア開の信号を受け取り救助動作ありと判定した場合（Ｓ３５でＹＥＳ）、制御部５１は、正式警報の停止信号を、通信部４１を介して通信部２２へ送り、停止信号を受けた通信部２２は制御部２１へ停止信号を送り、停止信号を受けた制御部２１は、出力装置９による正式警報の出力を停止させる（Ｓ３６）。
【００８９】
正式警報の停止後、制御部５１は、車内に乳幼児が存在するか否かを検出し（Ｓ３７）、車内に乳幼児が存在しない場合は（Ｓ３７でＮＯ）、正式警報のフローを終了する。
【００９０】
一方、制御部５１は、車内に乳幼児が存在する場合（Ｓ３７でＹＥＳ）、再び、車内に存在する乳幼児が危険な状態であるか否かを、危険度判定部５１ａに判定させる（Ｓ３３）。
【００９１】
また、制御部５１は、正式警報の出力後に、キャンセルスイッチ１０からのキャンセル信号を受け取らず、救助動作なしと判定した場合、又は、制御部５１は、ドア開の信号を受け取らず、救助動作なしと判定した場合（Ｓ３５でＮＯ）、制御部５１は、正式警報開始から所定の時間が経過したか否かを判定する（Ｓ３８）。所定の時間が経過したか否かは、タイマ４４からの情報に基づき判断する。タイマ４４は正式警報の開始をトリガとして、所定の時間を計測する。制御部５１は、タイマ４４からの情報に基づき、所定の時間が経過したと判定した場合（Ｓ３８でＹＥＳ）、車両１００を救助可能状態とし（Ｓ３９）、再び、制御部５１は、正式警報の出力後に救助動作の有無を判定する（Ｓ３５）。
【００９２】
救助可能状態とは、車両１００の全てのドアをアンロック状態とすることである。また、救助可能状態とは、窓制御装置１２による開閉が可能な窓を全て開くことである。また、救助可能状態とは、車両１００の全てのドアを「開」状態とすることである。
【００９３】
車両１００が救助可能状態になると、車両１００のユーザはもちろん、車両１００のユーザ以外の第三者であっても車内に存在する乳幼児を救助できる状態となる。
【００９４】
なお、救助動作には、携帯機からのキーレスアンロックを含む構成としてもよい。その場合、車両制御と携帯機とはＵＨＦ電波による無線通信を可能とする構成とする。
【００９５】
以上のとおり、本実施形態における車両警報制御装置３１は、車内に存在する乳幼児の危険度の上昇に応じて、警報レベルを第１事前警報、第２事前警報、第３事前警報、および正式警報に設定し、車内に存在する乳幼児の危険度の上昇に応じて、段階的に警報を出力するものである。
【００９６】
なお、第１事前警報、第２事前警報、第３事前警報、および正式警報がこの順で切り替わる状況の場合、第２事前警報以降のステップに含まれる、ドライバーの降車意思を検出するステップを省略しても良い。これは、第１事前警報において、ドライバーの降車意思は検出済となるからである。すなわち、第１事前警報終了後、車内に乳幼児が存在するか否かの判定を制御部５１が行う（Ｓ１２）。
また、第３事前警報以降のステップに含まれる、ドライバーの降車動作を検出するステップを省略しても良い。これは、継続的に警報が切り替わる状況であれば、第２事前警報において、ドライバーの降車動作は検出済となるからである。すなわち、第２事前警報終了後、車内に乳幼児が存在するか否かの判定を制御部５１が行う（Ｓ２２）。
【００９７】
なお、本実施形態においては、第１事前警報、第２事前警報、第３事前警報、および正式警報を例示して説明しているが、各事前警報および正式警報を上述の態様に限定するものではなく、各事前警報および正式警報は、危険度の高低に基づきレベル分けされていればよく、また、各警報レベルに応じた出力態様を有していればよい。
【００９８】
更に、各事前警報および正式警報の出力順序は、第１事前警報、第２事前警報、第３事前警報、および正式警報の順に出力してもよいし、第１事前警報の出力後に正式警報の出力をしてもよい。すなわち、出力の順序は適宜変更し得る構成としてもよい。
【００９９】
また、第１事前警報、第２事前警報、第３事前警報のうち、何れか、又は、複数の組み合わせを事前警報として出力する構成としてもよい。
【０１００】
また、第１事前警報、第２事前警報、第３事前警報、および正式警報の出力態様について、それぞれの警報における出力態様を例示しているが、各警報における出力態様を共通の出力態様とする構成としてもよい。各警報における出力態様を共通の出力態様とする場合、例えば、危険度に応じて、警報音の音量を小音量から大音量に変化させる構成とする。この様にすれば、周囲の迷惑とならないように段階的に警報の出力をする事が可能となる。
【０１０１】
なお、救助動作には、携帯機からのキーレスアンロックを含む構成としてもよい。その場合、車両制御と携帯機とはＵＨＦ電波による無線通信を可能とする構成とする。
【０１０２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【０１０３】
[第１事前警報、第２事前警報]
本実施形態における、車両警報制御装置３１は、制御部５１による、第１事前警報を停止するための救助動作の有無の判定を行う点において、実施形態１に記載の第１事前警報とは異なる。
【０１０４】
また、本実施形態における、車両警報制御装置３１は、制御部５１による、第２事前警報を停止するための救助動作の有無の判定を行う点において、実施形態１に記載の第２事前警報とは異なる。
【０１０５】
また、本実施形態における、第１事前警報は、第１事前警報の出力後に救助動作が無い場合において、第１事前警報の出力から所定の時間が経過すると、第１事前警報の出力を停止する点において、実施形態１に記載の第１事前警報とは異なる。
【０１０６】
また、本実施形態における、第２事前警報は、第２事前警報の出力後に救助動作が無い場合において、第２事前警報の出力から所定の時間が経過すると、第２事前警報の出力を停止する点において、実施形態１に記載の第２事前警報とは異なる。
【０１０７】
また、本実施形態における、第１事前警報は、例えば、５秒に１回の間欠動作により、警報を実行する点において、実施形態１に記載の第１事前警報とは異なる。
【０１０８】
また、本実施形態における、第２事前警報は、例えば、５秒に１回の間欠動作により、警報を実行する点において、実施形態１に記載の第２事前警報とは異なる。
【０１０９】
なお、本実施形態における、第１事前警報の出力後の制御部５１による救助動作の有無の判定は、実施形態１で説明したとおりであるが、制御部５１は、救助動作ありと判定すると、第１事前警報を停止するのではなく、警報を停止させるための設定時間を延長する構成としても良い。
【０１１０】
なお、本実施形態における、第２事前警報の出力後の制御部５１による救助動作の有無の判定は、実施形態１で説明したとおりであるが、制御部５１は、救助動作ありと判定すると、第２事前警報を停止するのではなく、警報を停止させるための設定時間を延長する構成としても良い。
【０１１１】
[第１事前警報]
続いて、本実施形態における第１事前警報について、図６のフローチャートを参照しつつ説明する。
【０１１２】
ここで、図６におけるＳ５１〜Ｓ５４のステップは、図２におけるＳ１〜Ｓ４とそれぞれ対応するステップであるため説明を省略する。
【０１１３】
警報レベル設定部５１ｂにより、「第１事前警報」の設定信号を受けた警報出力判定部５１ｃは、「第１事前警報」の出力指示を、通信部４１及び通信部２２を介して、制御部２１へ送る。当該出力指示を受けた制御部２１は、出力装置９へ警報を出力させる（Ｓ５４）。制御部５１は、第１事前警報の出力後に救助動作の有無を判定する（Ｓ５５）。
【０１１４】
制御部５１は、第１事前警報の出力後に、キャンセルスイッチ１０からのキャンセル信号を受け取り救助動作ありと判定した場合、又は、制御部５１は、ドア開の信号を受け取り救助動作ありと判定した場合（Ｓ５５でＹＥＳ）、制御部５１は、第１事前警報の停止信号を、通信部４１及び通信部２２を介して、制御部２１へ送る。当該停止信号を受けた制御部２１は、出力装置９による第１事前警報の出力を停止させる（Ｓ５６）。
【０１１５】
第１事前警報の停止後、制御部５１は、車内に乳幼児が存在するか否かを検出し（Ｓ５７）、車内に乳幼児が存在しない場合は（Ｓ５７でＮＯ）、第１事前警報を終了する。
【０１１６】
一方、制御部５１は、車内に乳幼児が存在する場合（Ｓ５７でＹＥＳ）、再び、車内に存在する乳幼児が危険な状態であるか否かを、危険度判定部５１ａに判定させる（Ｓ５３）。
【０１１７】
また、制御部５１は、正式警報の出力後に、キャンセルスイッチ１０からのキャンセル信号を受け取らず、救助動作なしと判定した場合、又は、制御部５１は、ドア開の信号を受け取らず、救助動作なしと判定した場合（Ｓ５５でＮＯ）、制御部５１は、第１事前警報開始から所定の時間が経過したか否かを判定する（Ｓ５８）。所定の時間が経過したか否かは、タイマ４４からの情報に基づき判断する。タイマ４４は正式警報の開始をトリガとして、所定の時間を計測する。制御部５１は、タイマ４４からの情報に基づき、所定の時間が経過したと判定した場合（Ｓ５８でＹＥＳ）、第１事前警報を停止し（Ｓ５９）、第２事前警報へ移行する。
【０１１８】
なお、救助動作には、携帯機からのキーレスアンロックを含む構成としてもよい。その場合、車両制御と携帯機とはＵＨＦ電波による無線通信を可能とする構成とする。
【０１１９】
[第２事前警報]
続いて、本実施形態における第２事前警報について、図７のフローチャートを参照しつつ説明する。
【０１２０】
ここで、図７におけるＳ７１〜Ｓ７４のステップは、図３におけるＳ１１〜Ｓ１４とそれぞれ対応するステップであるため説明を省略する。
【０１２１】
警報レベル設定部５１ｂにより、「第２事前警報」の設定信号を受けた警報出力判定部５１ｃは、「第２事前警報」の出力指示を、通信部４１を介して通信部２２へ送り、出力指示を受けた通信部２２は制御部２１へ出力指示を送り、出力指示を受けた制御部２１は、出力装置９へ警報を出力させる（Ｓ７４）。制御部５１は、第２事前警報の出力後に救助動作の有無を判定する（Ｓ７５）。
【０１２２】
制御部５１は、第２事前警報の出力後に、キャンセルスイッチ１０からのキャンセル信号を受け取り救助動作ありと判定した場合、又は、制御部５１は、ドア開の信号を受け取り救助動作ありと判定した場合（Ｓ７５でＹＥＳ）、制御部５１は、第２事前警報の停止信号を、通信部４１を介して通信部２２へ送り、停止信号を受けた通信部２２は制御部２１へ停止信号を送り、停止信号を受けた制御部２１は、出力装置９による第２事前警報の出力を停止させる（Ｓ７６）。
【０１２３】
第２事前警報の停止後、制御部５１は、車内に乳幼児が存在するか否かを検出し（Ｓ７７）、車内に乳幼児が存在しない場合は（Ｓ７７でＮＯ）、第２事前警報を終了する。
【０１２４】
一方、制御部５１は、車内に乳幼児が存在する場合（Ｓ７７でＹＥＳ）、再び、車内に存在する乳幼児が危険な状態であるか否かを、危険度判定部５１ａに判定させる（Ｓ７３）。
【０１２５】
また、制御部５１は、第２事前警報の出力後に、キャンセルスイッチ１０からのキャンセル信号を受け取らず、救助動作なしと判定した場合、又は、制御部５１は、ドア開の信号を受け取らず、救助動作なしと判定した場合（Ｓ７５でＮＯ）、制御部５１は、第２事前警報開始から所定の時間が経過したか否かを判定する（Ｓ７８）。所定の時間が経過したか否かは、タイマ４４からの情報に基づき判断する。タイマ４４は正式警報の開始をトリガとして、所定の時間を計測する。制御部５１は、タイマ４４からの情報に基づき、所定の時間が経過したと判定した場合（Ｓ７８でＹＥＳ）、第２事前警報を停止し（Ｓ７９）、第３事前警報へ移行する。
【０１２６】
なお、救助動作には、携帯機からのキーレスアンロックを含む構成としてもよい。その場合、車両制御と携帯機とはＵＨＦ電波による無線通信を可能とする構成とする。
【０１２７】
[第３事前警報]
本実施形態における第３事前警報は、車両２００のユーザのスマートフォン６１から送信される、指示内容に応じて、車両２００の窓を「開」状態としたり、車両２００のエアコンを駆動したりする点において、実施形態１に記載の第３事前警報とは異なる。
【０１２８】
また、本実施形態における、第３事前警報は、警報開始から所定の回避要求の受信設定時間が経過した場合において、第３事前警報の出力から所定の時間が経過すると、正式警報へ移行する点において、実施形態１に記載の第３事前警報とは異なる。
【０１２９】
回避要求とは、ユーザの携帯端末から送られてくる指示であり、具体的には、車両２００の窓を「開」状態とする指示である。又は、車両２００のエアコンを駆動するための指示である。
【０１３０】
ここでの窓の「開」状態とは、車内の換気ができる程度の開閉量で窓を開けることであるが、全開閉する構成としても良い。また、エアコンを駆動するための指示には、温度設定や風量設定を含むものとする。
【０１３１】
続いて、本実施形態における第３事前警報について、図８のフローチャートを参照しつつ説明する。
【０１３２】
ここで、図８におけるＳ９１〜Ｓ９４のステップは、図４におけるＳ２１〜Ｓ２４とそれぞれ対応するステップであるため説明を省略する。
【０１３３】
警報レベル設定部５１ｂにより、「第３事前警報」の設定信号を受けた警報出力判定部５１ｃは、「第３事前警報」の出力指示を、通信部制御部へ送る。通信制御部４５は、「第３事前警報」の出力指示を受け取ると、送受信部４５ａからアンテナ４５ｃを介してスマートフォン６１へ「第３事前警報」を通知する（Ｓ９４）。
【０１３４】
第３事前警報をスマートフォン６１へ通知した後（Ｓ９４）、制御部５１は、ユーザのスマートフォン６１からの窓の「開」要求の有無を判定する（Ｓ９５）。制御部５１は、ユーザのスマートフォン６１から窓の「開」要求を取得すると（Ｓ９５でＹＥＳ）、通信部４１を介して、窓の開要求信号を通信部２２へ送る。窓の開要求信号を受けた通信部２２は、該信号を制御部２１に送り、制御部２１は、窓制御装置１２に車両２００の窓の「開」動作をさせ（Ｓ９６）、正式警報へ移行する。
【０１３５】
一方、制御部５１は、ユーザのスマートフォン６１から窓の「開」要求を取得していない場合（Ｓ９５でＮＯ）、ユーザのスマートフォン６１からエアコン駆動の要求の有無を判定する（Ｓ９７）。制御部５１は、ユーザのスマートフォン６１からのエアコン駆動の要求を取得すると（Ｓ９７でＹＥＳ）、通信部４１を介して、エアコンの駆動信号を通信部２２へ送る。エアコンの駆動信号を受けた通信部２２は、該信号を制御部２１に送り、制御部２１は、エアコン制御装置１１にエアコンの駆動をさせ（Ｓ９８）、正式警報へ移行する。
【０１３６】
一方、制御部５１は、ユーザのスマートフォン６１からのエアコン駆動の要求を取得していない場合（Ｓ９７でＮＯ）、
制御部５１は、第３事前警報開始から所定の回避要求設定時間が経過したか否かを判定する（Ｓ９９）。所定の回避要求設定時間が経過したか否かは、タイマ４４からの情報に基づき判断する。タイマ４４は第３事前警報の開始をトリガとして、所定の時間を計測する。制御部５１は、タイマ４４からの情報に基づき、所定の回避要求設定時間が経過したと判定した場合（Ｓ９９でＹＥＳ）、正式警報へ移行する。
【０１３７】
一方、制御部５１は、タイマ４４からの情報に基づき、所定の回避要求設定時間が経過していないと判定した場合（Ｓ９９でＮＯ）、再び、制御部５１は、ユーザのスマートフォン６１からの窓の「開」要求の有無を判定する（Ｓ９５）。
【０１３８】
なお、図示はしていないが、ユーザのスマートフォン６１から窓の「開」要求を受信すると（Ｓ９５でＹＥＳ）、車両２００の窓の「開」動作を開始し（Ｓ９６）、正式警報へ移行するまでの間に、制御部５１が、救助動作「あり」と判定すると、制御部５１は通信部４１を介して、警報停止信号を通信部２２へ送り、該信号を受け取った通信部２２は、該信号を制御部２１へ送り、該信号を受け取った制御部２１は、出力装置９から警報の出力を停止させる構成としても良い。
【０１３９】
また、ユーザのスマートフォン６１からのエアコン駆動の要求を受信すると（Ｓ９７でＹＥＳ）、車両２００のエアコンの駆動を開始し（Ｓ９８）、正式警報へ移行するまでの間に、制御部５１が、救助動作「あり」と判定すると、制御部５１は通信部４１を介して、警報停止信号を通信部２２へ送り、該信号を受け取った通信部２２は、該信号を制御部２１へ送り、該信号を受け取った制御部２１は、出力装置９から警報の出力を停止させる構成としても良い。
【０１４０】
また、所定の回避要求受信設定時間が経過後（Ｓ９９でＹＥＳ）、正式警報へ移行するまでの間に、制御部５１が、救助動作「あり」と判定すると、制御部５１は通信部４１を介して、警報停止信号を通信部２２へ送り、該信号を受け取った通信部２２は、該信号を制御部２１へ送り、該信号を受け取った制御部２１は、出力装置９から警報の出力を停止させる構成としても良い。
【０１４１】
〔ソフトウェアによる実現例〕
車両警報制御装置３１の制御ブロック（特に危険度判定部５１ａ、警報レベル設定部５１ｂ、警報出力判定部５１ｃ）は、集積回路（ＩＣチップ）等に形成された論理回路（ハードウェア）によって実現してもよいし、ソフトウェアによって実現してもよい。
【０１４２】
後者の場合、車両警報制御装置３１は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１４３】
〔まとめ〕
本発明の一態様に係る車両制御装置は、車内に存在する生体の生体情報を検出する生体センサと、警報を出力する出力装置と、前記生体センサにより生体情報が検出された生体の危険度を判定する危険度判定部と、前記危険度判定部が判定した危険度に応じて、正式警報の前に前記出力装置に出力させる事前警報を判定する警報出力判定部と、を備える構成である。
【０１４４】
上記の構成によれば、正式警報の前に、車内に存在する乳幼児の危険度の上昇に留意しつつ、周囲の迷惑にならないように事前警報を出力することが可能となる。
【０１４５】
本発明の一態様に係る車載制御装置は、前記事前警報は、車両内に向けて出力される第１事前警報と、車外に向けて出力される第２事前警報と、車両ユーザの携帯端末（スマートフォン６１）から出力される第３事前警報とを含み、前記警報出力判定部は、前記第１事前警報、前記第２事前警報、前記第３事前警報のうち、何れか、又は、複数の組み合わせを前記事前警報として前記出力装置に出力させる構成としてもよい。
【０１４６】
上記の構成によれば、事前警報には少なくとも第１事前警報、第２事前警報、および第３事前警報が含まれる構成となるため、車内に存在する乳幼児の危険度の上昇にあわせて、正式警報の前に各事前警報を実行することが可能となる。また、上記の構成によれば、第１から事前警報、第２事前警報、第３事前警報のうち、何れか一つのみを出力することが可能となる。また、第1事前警報、前記第２事前警報、前記第３事前警報を複数組み合わせて出力することができる。よって、周囲の迷惑にならない警報の出力をより効果的に実行することができる。また、周囲の迷惑となり得る正式警報の出力を抑制することができる。
【０１４７】
本発明の一態様に係る車載制御装置は、前記事前警報の出力態様は、前記危険度の上昇に伴って段階的に変化する構成であってもよい。
【０１４８】
上記の構成によれば、正式警報の出力前に事前警報を段階的に出力することができる。事前警報を段階的に出力することにより、周囲の迷惑となり得る正式警報の出力前に車両ユーザが車内への乳幼児の置き去りに気付くことができる。
【０１４９】
本発明の一態様に係る車載制御装置は、前記危険度判定部５１ａは、ドライバーの降車意思及び／又は降車動作が検出され、且つ、車両内に生体が存在することが検出されると、前記車両内に存在する生体の危険度の判定を開始する構成としてもよい。
【０１５０】
上記の構成によれば、ドライバーの降車意思あるいは降車動作の判定結果と車内に乳幼児が存在することの判定結果に基づく置き去り状態の判定が可能となり、置き去り状態が確定した後に車内に存在する生体の危険度の判定が開始できる。よって、警報装置の誤報あるいは不用意な警報の出力を予防できる。
【０１５１】
本発明の一態様に係る車載制御装置は、前記出力装置９は、前記事前警報が出力された後、前記車両１００のドアが開かれると前記事前警報の出力を停止する。
【０１５２】
上記の構成によれば、車両１００のドアが開かれるという救助意思を検知した場合に事前警報の停止が可能となり、不用意な正式警報の出力を効果的に回避することができる。
【０１５３】
本発明の一態様に係る車載制御装置は、前記出力装置９は、前記事前警報の出力開始時点から予め定められた時間が経過すると、前記事前警報の出力を停止する構成としてもよい。
【０１５４】
上記の構成によれば、事前警報が実行された後に所定時間が経過すると、事前警報が停止され、その時点における車内の乳幼児の危険度に応じて、警報レベルを上昇させることが可能となり、より適切な事前警報をユーザに対して実行することができる。
【０１５５】
本発明の一態様に係る車載制御装置は、車窓の開閉を制御する窓制御装置１２及び／又は車両の空調を制御する空調制御装置（エアコン制御装置１１）へ指示信号を送信する通信制御部４５を備え、前記通信制御部４５は、前記出力装置９により、前記事前警報が出力された後、車両ユーザの携帯端末（スマートフォン６１）からの指示を受信すると、前記携帯端末（スマートフォン６１）からの指示に基づき、前記窓制御装置１２に対し車窓の開閉制御を指示すると共に、前記空調制御装置（エアコン制御装置１１）に対し車両の空調制御を指示する構成としてもよい。
【０１５６】
上記の構成によれば、車両２００のユーザの携帯端末から車両の窓を「開」状態とする要求を受信することが可能となる。また、上記の構成によれば、車両２００のユーザの携帯端末からのエアコン駆動要求を受信することが可能となる。よって、正式警報へ移行するまでの間に、車内の危険度を下げることが可能となり、車両に存在する乳幼児の安全を確保することが可能となる。
【０１５７】
本発明の一態様に係る車載制御装置は、前記正式警報が出力された後、車両のドアが開かれた場合、前記出力装置９は、前記正式警報の出力を停止し、前記正式警報が出力された後、車両１００のドアが開かれない場合、前記車両１００は、前記生体の救助を可能とする救助可能状態へ移行する構成としてもよい。
【０１５８】
上記の構成によれば、正式警報の出力後に車両のドアが開かれなければ、車両側の車両制御により、車内に存在する乳幼児を救助可能な状態にすることが可能となる。従って、車両ユーザが近くにいなくても、車両ユーザ以外の第三者が車内に存在する乳幼児を救助することが可能となる。
【０１５９】
本発明の一態様に係る車載制御装置は、前記正式警報が出力された後、車両１００のドアが開かれた場合、前記出力装置９は、前記正式警報の出力を停止し、前記正式警報が出力された後、車両１００のドアが開かれない場合、前記正式警報の出力開始時点から予め定められた時間が経過すると、前記車両１００は、前記生体の救助を可能とする救助可能状態へ移行する構成としてもよい。
【０１６０】
上記の構成によれば、正式警報の出力後に車両のドアが開かれなければ、所定の時間経過後に、車両側の車両制御により、車内に存在する乳幼児を救助可能な状態にすることが可能となる。従って、所定の時間が経過する前に車両ユーザが車両に戻り、ドアを開けば正式警報の出力を停止させることができ、所定の時間が経過しても車両ユーザが車両に戻らない場合であっても、車両ユーザ以外の第三者が車内に存在する乳幼児を救助することが可能となる。
【０１６１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１６２】
１    車載制御装置
９    出力装置
１１  エアコン制御装置（空調制御装置）
１２  窓制御装置
３１  車両警報制御装置（車両制御装置）
４５  通信制御部
５１ｃ  警報出力判定部
５１ａ  危険度判定部
５１ｂ  警報レベル設定部
６１  スマートフォン（携帯端末）
【図１】
2020149486.tif 000003
【図２】
2020149486.tif 000004
【図３】
2020149486.tif 000005
【図４】
2020149486.tif 000006
【図５】
2020149486.tif 000007
【図６】
2020149486.tif 000008
【図７】
2020149486.tif 000009
【図８】
2020149486.tif 000010